(57)【要約】【課題】  本発明は，審美性や意外性の高い，電子キャンドル装置を提供することを目的とする。【解決手段】  上記の課題は，電子キャンドルを遮光ハウジング内に設置し，ハウジングを開くと電子キャンドルからの光が突然放射される電子キャンドル装置により解決される。電子キャンドル装置１０は，電子キャンドル１と，電子キャンドル１を収容するハウジング２と，電子キャンドル１とハウジング２との間に形成された導光カバー３とを有する。ハウジング２は，本体部２ａとふた部２ｂとを含む。ふた部２ｂが閉状態では，電子キャンドル１からの光が遮光される。一方，ふた部２ｂが開状態では，電子キャンドル１からの光が導光カバー３を介して放出される。【選択図】図１
2011014479.tif 000002
【特許請求の範囲】
【請求項１】
電子キャンドル（１）と，
前記電子キャンドル（１）を収容するハウジング（２）と，
前記電子キャンドル（１）と前記ハウジング（２）との間に形成された導光カバー（３）とを有し，
前記ハウジング（２）は，前記電子キャンドル（１）からの光を遮光できる素材により構成されるものであり，
前記ハウジング（２）は，本体部（２ａ）とふた部（２ｂ）とを含み，
前記ふた部（２ａ）が閉状態では，前記電子キャンドル（１）からの光が遮光され，
前記ふた部（２ａ）が開状態では，前記電子キャンドル（１）からの光が前記導光カバー（３）を介して放出される，
電子キャンドル装置。
【請求項２】
前記ハウジング（２）は，直方体であり，
前記ふた部（２ｂ）は，
前記ハウジング（２）の頂面及び正面の一部であり，
前記ふた部（２ｂ）が開状態では，前記ハウジングの頂面及び正面の一部から，前記電子キャンドル（１）からの光が前記導光カバー（３）を介して放出される，
請求項１に記載の電子キャンドル装置。
【請求項３】
前記導光カバー（３）は，アクリル樹脂，メタクリル樹脂，ＭＳ樹脂，ポリカーボネート樹脂，ポリスチレン樹脂，ポリエチレンテレフタレート樹脂，塩化ビニル樹脂，及びＡＢＳ樹脂のいずれかまたは２つ以上を含む，請求項１に記載の電子キャンドル装置。
【請求項４】
前記導光カバー（３）は，光拡散性の導光カバーである，請求項１に記載の電子キャンドル装置。
【請求項５】
前記導光カバー（３）及び前記ハウジング（２）との間であって，前記ふた部（２ａ）が開状態において前記電子キャンドル（１）からの光が前記導光カバー（３）を介して放出される部位を覆う導光フィルム（４）を，さらに含む，
請求項１に記載の電子キャンドル装置。
【請求項６】
前記ふた部（２ｂ）のうち，前記ハウジング内に存在する面の少なくとも一部設けられる鏡部（１１）を，さらに含む，
請求項１に記載の電子キャンドル装置。
【発明の詳細な説明】
【技術分野】
【０００１】
本発明は，審美性や趣向性の高い電子キャンドル装置に関する。
【背景技術】
【０００２】
ＬＥＤ（発光ダイオード）製の電子キャンドルが知られている（特許文献１〜４）。
【０００３】
上記のＬＥＤ製の電子キャンドルは，キャンドルの炎をＬＥＤで表現したものである。これらの電子キャンドルは，ロウソクが消耗しないので経済的である。
【先行技術文献】
【特許文献】
【０００４】
【特許文献１】特開平７−３２６２１号公報
【特許文献２】特開２００２−２７００１３号公報
【特許文献３】特表２００７−５２７１０１号公報
【特許文献４】特表２００７−５２０８７０号公報
【発明の概要】
【発明が解決しようとする課題】
【０００５】
しかしながら，これらの電子キャンドルは，ロウソクを使用しないという利点を生かしきれていない。つまり，これらの電子キャンドルは，ロウソクよりも審美性や趣向性において劣るものであった。
【０００６】
そこで本発明は，審美性や意外性の高い，電子キャンドル装置を提供することを目的とする。
【課題を解決するための手段】
【０００７】
上記の課題は，電子キャンドルを遮光ハウジング内に設置し，ハウジングを開くと電子キャンドルからの光が突然放射される電子キャンドル装置により解決される。
【０００８】
すなわち，本発明の第１の態様である電子キャンドル装置１０は，電子キャンドル１と，電子キャンドル１を収容するハウジング２と，電子キャンドル１とハウジング２との間に形成された導光カバー３とを有する。この電子キャンドル装置は，電子キャンドルと，電子キャンドルを収容するハウジングと，前記電子キャンドルと前記ハウジングとの間に形成された導光カバーとを有する。ハウジングは，前記電子キャンドルからの光を遮光できる素材により構成されるものである。ハウジングは，本体部とふた部とを含む。本体部に電子キャンドルが設置される。ふた部を開くとハウジング内に収容されている電子キャンドルからの光が導光カバーを介して放出される。導光カバーは，透明又は半透明の素材である。導光カバーに文字や図柄を描画し，又は文字や図柄を描画したフィルムを導光カバーに搭載することで，ふた部を開けると文字や図柄が電子キャンドルの光を介して現れるようにすることもできる。
【０００９】
ハウジング２は，電子キャンドル１からの光を遮光できる素材により構成されるものである。そして，ハウジング２は，本体部２ａとふた部２ｂとを含む。ふた部２ｂが閉状態では，電子キャンドル１からの光が遮光される。一方，ふた部２ｂが開状態では，電子キャンドル１からの光が導光カバー３を介して放出される。
【００１０】
このような構成を有するため，本発明の電子キャンドル装置１０は，ふた部２ｂが開状態となった場合に，突如電子キャンドル１からの光が導光カバー３を介して放出される。このため，本発明の電子キャンドル装置１０は，審美性や意外性が高く，付加価値のある電子キャンドルとなる。なお，電子キャンドルは，実際のキャンドルと異なり炎が発生しないので，ハウジングが燃えることもない。このため，本発明の電子キャンドル装置は安全性が高い。
【００１１】
電子キャンドル装置１０の好ましい態様は，ハウジング２は，直方体であり，ふた部２ｂは，ハウジング２の頂面及び正面の一部である。そして，ふた部２ｂが開状態では，ハウジングの頂面及び正面の一部から，電子キャンドル１からの光が導光カバー３を介して放出される。このようにすることで，たとえば，ふた部２ｂが存在する正面の一部に，透過性の表示を設けることができる。すると，ふた部２ｂを開放した際に，突如正面の一部に設けられた文字や図柄を表示できることとなる。
【００１２】
電子キャンドル装置１０の好ましい態様は，導光カバー３が，アクリル樹脂，メタクリル樹脂，ＭＳ樹脂，ポリカーボネート樹脂，ポリスチレン樹脂，ポリエチレンテレフタレート樹脂，塩化ビニル樹脂，及びＡＢＳ樹脂のいずれかまたは２つ以上を含むものである。このような光透過性の樹脂を用いることで導光カバーを適切に得ることができる。
【００１３】
電子キャンドル装置１０の好ましい態様は，導光カバー３が，光拡散性の導光カバーである。このような光拡散性の導光カバーを用いることで，電子キャンドルを幻想的な光とすることができ，審美性を高めることができる。
【００１４】
電子キャンドル装置１０の好ましい態様は，導光カバー３及びハウジング２との間であって，ふた部２ｂが開状態において電子キャンドル１からの光が導光カバー３を介して放出される部位を覆う導光フィルム４を，さらに含む。導光フィルム４は，文字や図柄を記載できる。すると，導光フィルム４を介して，ふた部２ｂを開放した際に，突如文字や図柄を表示できることとなる。また，導光フィルム４を取り替えることでさまざまな情報を提供できることとなる。
【００１５】
電子キャンドル装置１０の好ましい態様は，ふた部２ｂのうち，ハウジング内に存在する面の少なくとも一部設けられる鏡部１１をさらに含むものである。この電子キャンドル装置は，鏡部１１を有するので，鏡部１１にキャンドルの光りが映り込み審美性を高めることができる。
【発明の効果】
【００１６】
本発明の電子キャンドル装置によれば，ふた部を開状態とした際に，電子キャンドル１からの光が導光カバー３を介して放出されるので，審美性や意外性の高い，電子キャンドル装置を提供できる。
【図面の簡単な説明】
【００１７】
【図１】図１は，本発明の第１の実施態様に係る電子キャンドル装置を説明するための図である。
【図２】図２は，本発明の第１の実施態様に係る電子キャンドル装置の正面図である。
【図３】図３は，本発明の第１の実施態様に係る電子キャンドル装置の背面図である。
【図４】図４は，本発明の第１の実施態様に係る電子キャンドル装置の上面図である。
【図５】図５は，本発明の第１の実施態様に係る電子キャンドル装置の右側面図である。
【図６】図６は，図４のＡ−Ａ断面図である。
【図７】図７は，ふた部を開いた状態の右側面図である。
【図８】図８は，ふた部を開いた状態の正面図である。
【図９】図９は，本発明の第２の実施態様に係る電子キャンドル装置のふた部を開いた状態の右側面図である。
【図１０】図１０は，本発明の第２の実施態様に係る電子キャンドル装置のふた部を開いた状態の正面図である。
【図１１】図１１は，本発明の第２の実施態様に係る電子キャンドル装置のふた部を開いた状態の上面図である。
【図１２】図１２は，本発明の第３の実施態様に係る電子キャンドル装置のふた部を開いた状態の右側面図である。
【図１３】図１３は，導光カバーが有色透明の電子キャンドル装置を示す図である。
【図１４】図１４は，導光カバー上に文字を有する電子キャンドル装置を示す図である。
【図１５】図１５は，実施例における電子キャンドル装置を示す図面に替わる写真である。
【図１６】図１６は，実施例における電子キャンドル装置を示す図面に替わる写真である。
【図１７】図１７は，実施例における電子キャンドル装置を示す図面に替わる写真である。
【図１８】図１８は，実施例における電子キャンドル装置を示す図面に替わる写真である。
【発明を実施するための形態】
【００１８】
図１は，本発明の第１の実施態様である電子キャンドルを説明するための図である。図１に示されるように，本発明の第１の態様である電子キャンドル装置１０は，電子キャンドル１と，電子キャンドル１を収容するハウジング２と，電子キャンドル１とハウジング２との間に形成された導光カバー３とを有する。
【００１９】
図２は，本発明の第１の実施態様に係る電子キャンドル装置の正面図である。図３は，本発明の第１の実施態様に係る電子キャンドル装置の背面図である。図４は，本発明の第１の実施態様に係る電子キャンドル装置の上面図である。図５は，本発明の第１の実施態様に係る電子キャンドル装置の右側面図である。図６は，図４のＡ−Ａ断面図である。図７は，ふた部を開いた状態の右側面図である。図８は，ふた部を開いた状態の正面図である。左側面図は右側面図と同一にあらわれる。底面図は上面図と同一にあらわれる。導光カバーは，透明又は半透明である。参考斜視図は，ふた部を開いた場合の斜視図であり，導光カバーを介して電子キャンドルが視認される。
【００２０】
電子キャンドル１は，電子的な光源を有するキャンドル様の装置である。具体的な電子キャンドルの例は，炎およびロウソクの形状を有するキャンドルハウジングと，キャンドルハウジング内の光源とを有するものがあげられる。そして，キャンドルハウジングのうち，少なくとも炎の部分は光透過性を有する。このため，キャンドルハウジング内の光源からの光が炎の部分を透過する。このようにして電子キャンドルはあたかもキャンドルに火がともったように見える。電子的な光源の例は，ＬＥＤ（発光ダイオード）である。電子的な光源は，スイッチにより点灯又は消滅を制御できるものがあげられる。また，スイッチがふた部の開閉と連動しており，ふた部が開くとスイッチがＯＮ状態となるものであってもよい。
【００２１】
ハウジング２は，電子キャンドル１からの光を遮光できる素材により構成されるものである。このような素材の例は，紙，またはプラスチックである。たとえば，ハウジング２として菓子の包装容器を用いることもできる。すると，本発明の電子キャンドル装置を第三者に送った場合，いったんそれをお菓子だと思う。一方，実際は送られたものが美麗な電子キャンドル装置であるので，驚嘆させることができる。このように本発明のキャンドル装置は，趣向性の高いものである。
【００２２】
ハウジングの形状は，たとえば，直方体，又は立方体である。ハウジングが直方体又は立方体である場合，最も短い辺の長さとして１ｃｍ以上１０ｃｍ以下があげられる。一方，最も長い辺の長さは，最も短い辺と同じがそれより大きく，３０ｃｍ以下があげられる。ハウジング２の厚さは，ある程度の遮光性がえられればよい。ハウジング２の厚さの例は０．１ｍｍ以上５ｍｍ以下である。ハウジング２は，本体部２ａとふた部２ｂとを含む。ふた部２ｂが閉じた状態では本体部２ａとふた部２ｂとは一体となって密閉状態を形成する。ふた部２ｂは，ヒンジ部により本体部２ｂと接続されていてもよい。この場合，ヒンジ部を介してふた部２ｂが回転することで，ふた部２ｂが開く。また，ふた部２ｂは，本体部２ａから取り外されるものであってもよい。ふた部２ｂが閉状態では，電子キャンドル１からの光が遮光される。一方，ふた部２ｂが開状態では，電子キャンドル１からの光が導光カバー３を介して放出される。
【００２３】
ふた部２ｂの例は，ハウジング２の頂面及び正面の一部である。そして，ふた部２ｂが開状態では，ハウジングの頂面及び正面の一部から，電子キャンドル１からの光が導光カバー３を介して放出される。正面の一部の例は，正面の上部分１／１０以上２／３以下があげられ，１／３以上２／５以下でもよい。このようにすることで，たとえば，ふた部２ｂが存在する正面の一部に，透過性の表示を設けることができる。すると，ふた部２ｂを開放した際に，突如正面の一部に設けられた文字や図柄を表示できることとなる。もちろん，導光カバー３の上面部分に文字や図柄が描画されていてもよい。
【００２４】
導光カバー３は，電子キャンドル１とハウジング２との間に形成されたカバーである。導光カバー３は，ハウジング２の内面の一部にフィットするような形状であることが好ましい。導光カバー３の例は，ハウジング２の内面のうち底面以外の面にフィットする形状のものである。導光カバー３の別の例は，ハウジング２の内面のうち底面及び背面以外の面にフィットする形状のものである。電子キャンドル装置１０の好ましい態様は，導光カバー３が，アクリル樹脂，メタクリル樹脂，ＭＳ樹脂，ポリカーボネート樹脂，ポリスチレン樹脂，ポリエチレンテレフタレート樹脂，塩化ビニル樹脂，及びＡＢＳ樹脂のいずれかまたは２つ以上を含むものである。光透過性の樹脂を用いることで導光カバーを適切に得ることができる。これらの中では，アクリル樹脂，メタクリル樹脂又はポリカーボネート樹脂が好ましい。また，これらの樹脂は，光を拡散させるためフィラーを含んでいても良い。
【００２５】
電子キャンドル装置１０の好ましい態様は，導光カバー３が，光拡散性の導光カバーである。このような光拡散性の導光カバーを用いることで，電子キャンドルを幻想的な光とすることができ，審美性を高めることができる。光拡散性の導光カバーは，たとえば，導光カバー３の表面に複数の微小な凹凸を設けることによって得ることができる。微小な凹凸は，十点平均粗さ（Ｒｚ）が３〜４５μｍ，平均山間隔（Ｓｍ）が３５〜６５μｍの表面粗さ形状であるものがあげられる。また，凹凸の傾斜角θが２５度〜５５度であるものがあげられる。凹凸の平均山間隔として１０μｍ〜４５μｍがあげられる。
【００２６】
電子キャンドル装置１０の好ましい態様は，導光カバー３及びハウジング２との間であって，ふた部２ｂが開状態において電子キャンドル１からの光が導光カバー３を介して放出される部位を覆う導光フィルム４を，さらに含む。導光フィルム４は，導光カバー３と同様の素材を用いて製造できる。一方，導光フィルム４は，導光カバー３に比べて薄いものが好ましい。導光フィルム４は，文字や図柄を記載できる。すると，導光フィルム４を介して，ふた部２ｂを開放した際に，突如文字や図柄を表示できることとなる。また，導光フィルム４を取り替えることでさまざまな情報を提供できることとなる。
【００２７】
次に図面を参照しつつ，本発明の第１の実施態様に係る電子キャンドル装置の使用例について説明する。この例では，電子キャンドルがあらかじめ点灯されている。
【００２８】
図２に示されるように，はじめは電子キャンドル装置が閉じた状態である。この場合，図２〜図５に示されるとおり，電子キャンドルを取り囲むすべての面は閉じている。このため，電子キャンドルからの光はハウジングに遮光されて，外部へ放出されない。このとき，ハウジング内の様子は図６に示されるとおりである。
【００２９】
図７に示されるようにふた部２ｂが開放されると，図８に示されるように正面の上方から導光カバー３が露出する。また，図１に示されるように，上面から導光カバー３が露出する。すると，電子キャンドルから放射される光が，上面から放射されるとともに，正面の一部から照射されることとなる。
【００３０】
図９は，本発明の第２の実施態様に係る電子キャンドル装置のふた部を開いた状態の右側面図である。この電子キャンドル装置は，ふた部２ｂがハウジングの上面及び正面全体である。この電子キャンドル装置の正面図及び背面図は，第１の実施態様における背面図と同様である。この電子キャンドル装置の左側面図，右側面図，上面図及び底面図は，第１の実施態様における左側面図，右側面図，上面図及び底面図とそれぞれ同一である。
【００３１】
図１０は，本発明の第２の実施態様に係る電子キャンドル装置のふた部を開いた状態の正面図である。すなわち，この電子キャンドル装置は，ふた部２ｂを開くと，正面を覆う導光カバーが露出する。図１１は，本発明の第２の実施態様に係る電子キャンドル装置のふた部を開いた状態の上面図である。図１１に示されるように，この電子キャンドル装置は，ふた部２ｂを開くと，上面を覆う導光カバーが露出する。
【００３２】
図１２は，本発明の第３の実施態様に係る電子キャンドル装置のふた部を開いた状態の右側面図である。この電子キャンドル装置は，ふた部２ｂがハウジングの上面のみに存在する。もちろん，ふた部２ｂは，上面の一部であってもよい。この電子キャンドル装置の正面図及び背面図は，第１の実施態様における背面図と同様である。この電子キャンドル装置の左側面図，右側面図，上面図及び底面図は，第１の実施態様における左側面図，右側面図，上面図及び底面図とそれぞれ同一である。
【００３３】
図１３は，導光カバーが有色透明の電子キャンドル装置を示す図である。この例では，導光カバー３が有色透明である。導光カバー３が有色透明であるので，この電子キャンドル装置を用いると雰囲気を出すことができる。
【００３４】
図１４は，導光カバー上に文字を有する電子キャンドル装置を示す図である。この例では，導光カバー上に文字１２や模様を有するので，電子キャンドル装置を開けた瞬間に，電子キャンドル装置を贈ったものの感情や感性を伝えることができる。なお，図１４中，符号１１は，鏡部を示す。この電子キャンドル装置は，鏡部１１を有するので，鏡部１１にキャンドルの光りが映り込み審美性を高めることができる。鏡部の例は，ミラーシート，及び金属箔である。
【００３５】
以下，実施例を用いて，本発明を具体的に説明する。本発明は以下の実施例に限定されるものではなく，以下の実施例から当業者に自明な範囲で適宜修正することができるものである。
【実施例１】
【００３６】
図１５は，本発明の電子キャンドル装置を示す図面に替わる写真である。図１５に示されるように，本発明の電子キャンドル装置は開状態となると，電子キャンドルからの光が照射される。この電子キャンドル装置は，導光フィルムを有しないものである。
【実施例２】
【００３７】
図１６は，本発明の電子キャンドル装置を示す図面に替わる写真である。図１６に示される電子キャンドル装置は，導光カバーが実施例１とは異なるものである。導光カバーを換えると電子キャンドル装置がかもし出す光の雰囲気を変えることができる。
【実施例３】
【００３８】
図１７は，本発明の電子キャンドル装置を示す図面に替わる写真である。図１７に示される電子キャンドル装置は，ある導光フィルムを有するものである。
【実施例４】
【００３９】
図１８は，本発明の電子キャンドル装置を示す図面に替わる写真である。図１８に示される電子キャンドル装置は，図１７とは異なる導光フィルムを有するものである。
【産業上の利用可能性】
【００４０】
本発明は電子キャンドル装置に関するので，照明産業や玩具産業において利用されうる。
【符号の説明】
【００４１】
１  電子キャンドル
２  ハウジング
２ａ  本体部
２ｂ  ふた部
３  導光カバー
４  導光フィルム
１０  電子キャンドル装置
【図１】
2011014479.tif 000003
【図２】
2011014479.tif 000004
【図３】
2011014479.tif 000005
【図４】
2011014479.tif 000006
【図５】
2011014479.tif 000007
【図６】
2011014479.tif 000008
【図７】
2011014479.tif 000009
【図８】
2011014479.tif 000010
【図９】
2011014479.tif 000011
【図１０】
2011014479.tif 000012
【図１１】
2011014479.tif 000013
【図１２】
2011014479.tif 000014
【図１３】
2011014479.tif 000015
【図１４】
2011014479.tif 000016
【図１５】
2011014479.tif 000017
【図１６】
2011014479.tif 000018
【図１７】
2011014479.tif 000019
【図１８】
2011014479.tif 000020